(57)【特許請求の範囲】
【請求項１】
放電電極と誘導電極とを有する電極部と、当該電極部を内部に収容するケース部とを備えており、前記ケース部には、イオン放出用の孔が形成された天壁、前記天壁に対向して配置された底壁、並びに前記天壁と前記底壁とを繋ぐ二つの側壁及び二つの端壁と、少なくとも内部の水分を排出する排出孔が形成されており、
前記ケース部の前記排出孔が形成されている壁部には吸水性のある不織布が付設されて、前記不織布は、前記ケース部の高さを超えて延び、付設側の表面が風路に直接曝される部分を有することを特徴とするイオン発生装置。
【請求項２】
放電電極と誘導電極とを有する電極部と、当該電極部を内部に収容するケース部とを備えており、前記ケース部には、イオン放出用の孔が形成された天壁、前記天壁に対向して配置された底壁、並びに前記天壁と前記底壁とを繋ぐ二つの側壁及び二つの端壁と、少なくとも内部の水分を排出する排出孔が形成されており、
前記排出孔は、前記仕切り壁の壁面又は端壁の内壁面と前記底壁の内底面とにレベルを合わせた縁部を有する態様で形成されて、
前記電極部がイオンを放出しているときに、
前記イオン放出用の孔から侵入した空気が前記水分を前記排出孔から排出することを特徴とするイオン発生装置。
【請求項３】
前記電極部は正イオンを発生させる正イオン電極部と負イオンを発生させる負イオン電極部とから成っており、前記排出孔は、前記正イオン電極部と前記負イオン電極部とを仕切る態様で前記ケース部に設けられる仕切り壁の風上側近傍の側壁と、前記ケース部の風下側の端壁近傍の側壁とに形成されていることを特徴とする請求項１または２に記載のイオン発生装置。
【請求項４】
前記電極部は正イオンを発生させる正イオン電極部と負イオンを発生させる負イオン電極部とから成っており、前記正イオン電極部と前記負イオン電極部とは前記ケース部の側壁との間に隙間を残して設けられる仕切り壁で仕切られており、前記排出孔は前記ケース部の風下側の電極部の端壁近傍の側壁に形成されていることを特徴とする請求項１または２に記載のイオン発生装置。
【請求項５】
前記不織布は、通気性を備えているが帯電性を備えていない材料から形成されていることを特徴とする請求項１に記載のイオン発生装置。
【発明の詳細な説明】
【技術分野】
【０００１】
本発明は、吹き出す清浄空気にイオンを含ませるため、空気清浄機や空気調和機等の環境機器に適用されるイオン発生装置に関する。
【背景技術】
【０００２】
従来、イオン発生装置の一例として、インパルス状電圧を正方向に整流して得られた電圧のピーク値の絶対値とインパルス状電圧を負方向に整流して得られた電圧のピーク値の絶対値との大小関係が一定周期毎に入れ替わるようにして、正イオン発生用イオン発生素子と負イオン発生用イオン発生素子とが接続されるインパルス状電圧発生回路を備え、イオンの発生効率が良く、オゾンの発生を抑え、パルス電圧発生回路、イオン発生装置及び電気機器の小型化を図ることができ、且つ正負のイオンバランスが良好なイオン発生装置が提案されている（特許文献１）。
【０００３】
また、本出願人は、イオン発生装置および電気機器に関し、特に、トランス駆動回路、トランス及びイオン発生素子を備えたイオン発生装置、並びに電気機器を提案している。イオン発生装置は、通常、イオンを発生させるためのイオン発生素子と、イオン発生素子に高電圧を供給するための高圧トランスと、高圧トランスを駆動するための高圧トランス駆動回路と、コネクタなどの電源入力部とにより構成されている。
【０００４】
イオン発生素子の種類は大きく２種類に区分されるが、そのうちの１つは、金属線、鋭角部を持った金属板、針形状の金属などを放電電極とし、大地電位の金属板やグリッドなどを対向電極としたもの、あるいは対向電極を大地として特に対向電極を配置しないものである。この種類のイオン発生素子では、空気が絶縁体の役割を果たす。このイオン発生素子は、電極に高電圧を印加した際に、鋭角部をした電極の先端で電界集中が生じ、その先端の極近部分の空気が絶縁破壊することで放電現象を得る方式であり、このイオン発生素子の構造が、図５〜図９に示されている。
【０００５】
図５は、本出願人の提案によるイオン発生装置の構成を概略的に示す分解斜視図である。図６は、図５に示したイオン発生装置において蓋体を除いた状態での概略平面図である。また、図７及び図８は、図２のＩＩＩ−ＩＩＩ線及びＩＶ−ＩＶ線に沿う概略断面図である。
【０００６】
図５〜図８を参照して、本実施の形態のイオン発生装置５０は、高圧回路５（図７）と、たとえばコロナ放電により正イオンおよび負イオンの少なくともいずれかを生じさせるイオン発生素子１０と、入力電圧を昇圧し昇圧された電圧をイオン発生素子１０に印加する高圧トランス２０と、外部からの入力電圧を受けて高圧トランス２０を駆動するための高圧トランス駆動回路３０（図７）と、電源入力コネクタ３０ｂ（図７）と、外装ケース４０とを有している。素子３０ａは、高圧トランス駆動回路３０を構成する素子であって基板３１の裏面に取付けられている。
【０００７】
外装ケース４０は、本体４０ａと、蓋体４０ｂとを有している。本体４０ａの内部は、イオン発生素子１０を配置するためのイオン発生素子ブロック４０Ａと、高圧トランス２０を配置するための高圧トランスブロック４０Ｂと、高圧トランス駆動回路３０を配置するための高圧トランス駆動回路ブロック４０Ｃとに平面的に区画されている。各ブロック４０Ａ、４０Ｂ、４０Ｃは、たとえば本体４０ａ内に配置された壁４１、４２、４３により仕切られている。イオン発生素子１０は、高圧回路５の構成素子を取付けられた状態でイオン発生素子ブロック４０Ａ内に収容されている。高圧トランス２０は、基板に搭載されない状態で高圧トランスブロック４０Ｂ内に収容されている。高圧トランス駆動回路３０及び電源入力コネクタ３０ｂは基板３１に搭載された状態で高圧トランス駆動回路ブロック４０Ｃ内に収容されている。電源入力コネクタ３０ｂの一部は、外装ケース４０の外部に露出しており、外部から電源をコネクタ接続できる構造となっている。本体４０ａ内に収容された各機能素子は後述するように適宜、電気的に接続され、かつモールドされており、最後に、本体４０ａの上方開口部を閉じるように蓋体４０ｂが取付けられている。なお、この蓋体４０ｂには、イオン放出用の孔４４が設けられている。
【０００８】
イオン発生素子１０は、誘導電極１と、放電電極２と、支持基板３とを有している。誘導電極１は、一体の金属板からなっており、かつ放電電極２の個数に対応して天板部１ａに例えば円形に開口する複数（図示例では２個）の貫通孔１ｂを有している。この貫通孔１ｂは、コロナ放電により発生するイオンをイオン発生素子１０の外部へ放出するための開口部である。貫通孔１ｂの周縁部分は、たとえば絞り加工などの工法により、金属板を天板部１ａに対して屈曲させた屈曲部１ｃ（屈曲方向は図示では下側であるが、上側に屈曲してもよい）となっている。この屈曲部１ｃにより、貫通孔１ｂの周縁の壁部の厚みが天板部１ａの板厚よりも厚くなっている。
【０００９】
誘導電極１は、例えば両端部に、金属板の一部を天板部１ａに対して屈曲させた基板挿入部１ｄを有している。基板挿入部１ｄは、幅の広い支持部分１ｄ1と、幅の狭い挿入部分１ｄ2とを有している。支持部分１ｄ1の一方端は天板部１ａに繋がっており、他方端は挿入部分１ｄ2に繋がっている。また、誘導電極１は、金属板の一部を天板部１ａに対して屈曲させた基板支持部１ｅを有してもよい。基板支持部１ｅは、基板挿入部１ｄの屈曲方向と同じ方向（下側）に屈曲している。基板支持部１ｅの折り曲げ方向の長さは、基板挿入部１ｄの支持部分１ｄ1の折り曲げ方向の長さと略同一である。
【００１０】
放電電極２は針状の先端を有している。支持基板３は、放電電極２を挿通させるための貫通孔３ａと、基板挿入部１ｄの挿入部分１ｄ2を挿通させるための貫通孔３ｂとを有している。針状の放電電極２は、貫通孔３ａに挿入又は圧入されて支持基板３を貫通した状態で支持基板３に支持されている。これにより、放電電極２の針状の一方端は支持基板３の表面側に突き出しており、また支持基板３の裏面側に突き出した他方端には、半田４によりリード線や配線パターンを電気的に接続することが可能である。また、誘導電極１の挿入部分１ｄ2は貫通孔３ｂに挿入されて支持基板３を貫通した状態で支持基板３に支持されている。支持基板３の裏面側に突き出した挿入部分１ｄ2の先端には、半田４によりリード線や配線パターンを電気的に接続することが可能である。
【００１１】
誘導電極１が支持基板３に支持された状態で、支持部分１ｄ1と挿入部分１ｄ2との境界にある段部が支持基板３の表面に当接する。これにより誘導電極１の天板部１ａは支持基板３に対して所定の距離を保って支持されている。また誘導電極１の基板支持部１ｅの先端が支持基板３の表面に補助的に当接している。つまり、基板挿入部１ｄと基板支持部１ｅとにより、誘導電極１は支持基板３に対してその厚み方向に位置決めされている。誘導電極１が支持基板３に支持された状態で、放電電極２は、その針状の先端が、円形の貫通孔１ｂの中心Ｃに位置するように、且つ貫通孔１ｂの周縁部の厚み（屈曲部１ｃの屈曲長さ）の範囲内に位置するように配置されている。また支持基板３の裏面（半田面）には、高圧回路５の構成素子が取付けられている。
【００１２】
高圧トランス２０は、例えば巻線トランスより成っており、巻線トランス２０は、互いに絶縁された一次巻線２１と数千ターンの巻数を有する二次巻線２２とを鉄心の周囲のボビンに巻き付けた構成を有しており、一次巻線２１と二次巻線２２とは並んで配置されている。一次巻線２１の端子２３，２３は、巻線トランス２０の長手方向（一次巻線２１と二次巻線２２とが隣り合う方向）の端部に配置されている。二次巻線２２の両端子２４、２４は巻線トランス２０の側部に配置されている。壁４１の一部には、接続部である端子２３，２３を通すための切欠部４１ａ，４１ａが設けられている。
【００１３】
ところで、こうしたイオン発生装置は、空気調和機に適用されることが多いが、そうした場合には、イオン発生装置の周囲を湿度の高い空気が流れることがあり、イオン発生装置の内部で水分が凝結、即ち、結露を生じることがある。イオン発生装置の取付け姿勢によっては、結露水が装置内部で溜まって電極間で短絡を生じさせることがある。このような短絡現象はコロナ放電によるイオンの発生を阻害するものである。また、イオン発生装置の周囲を流れる空気によって運ばれる微細な塵埃がイオン発生装置のケース内部に溜まって、これもまたコロナ放電によるイオンの発生を阻害する。
【００１４】
図９は、イオン発生素子１０の構造を模式的に示す図であり、（ａ）は平面図を、また（ｂ）は縦断面図を示している。棒状ないし針状の放電電極（放電電極針）２と、板状の誘導電極（対向電極）１とを対向して配置し、放電電極２と対向電極１間に高電圧を印加すると、電界の強い領域だけが局所的に絶縁破壊され、放電電極２の尖った先端部に電離現象が起こり、イオンが発生する。放電電極２に負電圧を印加すると負イオンが発生し、放電電極２に正電圧を印加すると正イオンが発生する。
【先行技術文献】
【特許文献】
【００１５】
【特許文献１】特開２００７−２３４４６１号公報
【特許文献２】特許第４１４５９３９号公報
【発明の概要】
【発明が解決しようとする課題】
【００１６】
しかしながら、従来のイオン発生装置では、特に結露対策や塵埃除去対策が施されていないため、電極部が結露する或いは塵埃が堆積した場合、送風等により結露が解消し、或いはメンテナンス時期に合わせて清掃をすることで、放電が正常に復帰（イオン放出）するまで、時間を要しているのが現状である。
そこで、電極部とそれを内部に収容するケース部とを備えるイオン発生装置において、結露によってケース部の内部に生じた水分或いは内部にたまる塵埃を迅速に外部に排出する点で解決すべき課題がある。
本発明の目的は、結露によってケース部の内部に生じた水分、或いはケース部内の電極部に溜まった塵埃を、簡易な構造で且つ低コストで容易の外部に排出可能とするイオン発生装置を提供することである。
【課題を解決するための手段】
【００１７】
本発明によるイオン発生装置は、放電電極と誘導電極とを有する電極部と、当該電極部を内部に収容するケース部とを備えており、前記ケース部には、イオン放出用の孔が形成された天壁、前記天壁に対向して配置された底壁、並びに前記天壁と前記底壁とを繋ぐ二つの側壁及び二つの端壁と、少なくとも内部の水分を排出する排出孔が形成されており、前記ケース部の前記排出孔が形成されている壁部には吸水性のある不織布が付設されて、前記不織布は、前記ケース部の高さを超えて延び、付設側の表面が風路に直接曝される部分を有することを特徴としている。また、本発明によるイオン発生装置は、放電電極と誘導電極とを有する電極部と、当該電極部を内部に収容するケース部とを備えており、前記ケース部には、イオン放出用の孔が形成された天壁、前記天壁に対向して配置された底壁、並びに前記天壁と前記底壁とを繋ぐ二つの側壁及び二つの端壁と、少なくとも内部の水分を排出する排出孔が形成されており、前記排出孔は、前記仕切り壁の壁面又は端壁の内壁面と前記底壁の内底面とにレベルを合わせた縁部を有する態様で形成されて、前記電極部がイオンを放出しているときに、前記イオン放出用の孔から侵入した空気が前記水分を前記排出孔から排出することを特徴としている。
【００１８】
本イオン発生装置によれば、結露によって生じてケース部の内部に溜まった水、或いはケース部の内部に運ばれて滞留する塵埃は、イオン発生装置の周囲を流れる空気の一部がケース部に入り、更にケース部に形成されている排出孔から外部に排気されるときに一緒に排出されるので、イオン発生装置は早期に正常なイオン発生状態に復帰する。排出孔は気流の流れに交差する方向に開口部が開いていることが好ましく、開口部を通じて外部に排気され易くなる。
【００１９】
また、このイオン発生装置において、前記電極部は正イオンを発生させる正イオン電極部と負イオンを発生させる負イオン電極部とから成るものとし、前記排出孔を、前記正イオン電極部と前記負イオン電極部とを仕切る態様で前記ケース部に設けられる仕切り壁の風上側近傍の側壁と、前記ケース部の風下側の端壁近傍の側壁とに形成することができる。また、このイオン発生装置において、前記電極部は正イオンを発生させる正イオン電極部と負イオンを発生させる負イオン電極部とから成るものとし、前記正イオン電極部と前記負イオン電極部とを前記ケース部の側壁との間に隙間を残して設けられる仕切り壁で仕切り、前記排出孔を前記ケース部の風下側の端壁近傍の側壁に形成することができる。
電極部を正イオンを発生させる正イオン電極部と負イオンを発生させる負イオン電極部とから構成する場合には、両電極部を仕切る仕切り壁が完全な仕切り壁であるときには、各電極部から排出が可能なように、仕切り壁の近傍の側壁と端壁の近傍の側壁とに排出孔を形成し、両電極部を仕切る仕切り壁がケース部との間に隙間を残す仕切り壁であるときには、風下側の電極部の端壁近傍の側壁に形成することが好ましい。
【００２０】
また、このイオン発生装置において、前記排出孔は、前記仕切り壁の壁面又は端壁の内壁面と前記底壁の内底面とにレベルを合わせた縁部を有する態様で形成することができる。排出孔の縁部の各壁面とのレベルを合わせることにより、結露水や溜まった塵埃は、排出孔の縁部で掛かって留まることなく、排出孔外へと排出され易くなる。
【００２１】
また、このイオン発生装置において、前記ケース部の前記排出孔が形成されている壁部には不織布を付設することができる。不織布は、結露水の場合には、排出孔に流れてきた水を吸水し、吸水された水は毛細管現象で不織布に広がって、風路を流れる気流に曝されて気化が促進され乾燥を早めることができる。前記不織布は、前記ケース部の高さを超えて延び、付設側の表面が風路に直接曝される部分を有することで、結露水の更なる迅速な気化が促進される。
【発明の効果】
【００２２】
本発明によるイオン発生装置によれば、結露によって生じて電極部を収容するケース部内に溜まった水、或いは外部から運ばれて来た塵埃は、ケース部内を流れる気流によってケース部に形成されている排出孔から外部に排出される。また、ケース部の周囲、即ち、排出孔が形成されている壁部に不織布を付設している場合には、不織布は吸水性が良好であるため、結露水は不織布によって吸収され、その布から蒸発して、気体として外部に迅速に排出される。したがって、イオン発生装置の構造として簡便なものであるので、製造が低コストであり、また使用においても、ケース部の内部における結露水又は塵埃の滞留量が多くなると、メンテナンスの時期を待つことなく、自ずと排出孔から外部に排出されるので、運用コストを低減させることができる。
【図面の簡単な説明】
【００２３】
【図１】図１は本発明によるイオン発生装置の一例を示す斜視図である。
【図２】図２は本発明によるイオン発生装置の別の例を示す斜視図である。
【図３】図３は本発明によるイオン発生装置の更に別の例を示す斜視図である。
【図４】図４は本発明によるイオン発生装置の更に別の例を示す斜視図である。
【図５】図５は従来のイオン発生装置の一例を示す分解斜視図である。
【図６】図６は図５に示すイオン発生装置の蓋体の直下で切断した平面断面図である。
【図７】図７は図６に示すイオン発生装置のＶＩＩ−ＶＩＩで切断した断面図である。
【図８】図８は図６に示すイオン発生装置のＶＩＩＩ−ＶＩＩＩで切断した断面図である。
【図９】図９はイオン発生装置の電極部の概要を示す模式図である。
【発明を実施するための形態】
【００２４】
以下、図面を参照して本発明によるイオン発生装置の実施例を説明する。図１は、本発明によるイオン発生装置の一実施例を示す斜視図である。以下に示す図１に示す実施例を含めた各実施例において、図５〜図９に示した従来のものの構成要素及び部位と同等のものには、図５〜図９で用いた符号を用いることで、再度の説明を省略する。
【００２５】
図１に示すイオン発生装置１００は、ケースの本体４０ａと、イオン放出用の孔４４，４４が形成された天壁としての蓋体４０ｂとで、電極部１０１を収容するケース部１０２を構成している。本体４０ａは、また、蓋体４０ｂに対向する底壁４０ｃと、底壁４０ｃと蓋体４０ｂとを繋ぐ対向した二つの側壁４０ｄ，４０ｄ、及び両端部に設けられた二つの端壁４０ｅ，４０ｅを有している。電極部１０１は、正と負のイオンのどちらかを発生させる正イオン電極部及び負イオン電極部１０１ａ，１０１ｂとから成っており、それぞれ仕切り壁４０ｆによって区分けされたケース部１０２に収容されている。仕切り壁４０ｆはケース部１０２に接着によって固定することができる。
【００２６】
図示の実施例では、ケース部１０２の側壁４０ｄに、二つある電極部１０１ａ，１０１ｂに対応してそれぞれ排出孔４５，４５が形成されている。即ち、イオン発生装置１００においては、排出孔４５，４５は、側壁４０ｄにおいて、正イオン電極部と負イオン電極部とを仕切る態様でケース部１０２に設けられる仕切り壁４０ｆの風上側近傍と、ケース部１０２の風下側の端壁４０ｅの近傍とに形成されている。排出孔４５，４５は、端壁４０ｅや仕切り壁４０ｆの作用によって、気流の流れに交差する方向に開口部が開く態様となる。こうした構造によって、排出孔４５，４５の開口部を通じて風路から装置内に流入した流れが外部に排気され易くなる。
【００２７】
イオン発生装置１００は空調機器等の風路に適用される。イオン発生装置１００の周囲を流れる空気の流れが矢印Ｆで示されており、この気流Ｆの一部は、ケース部１０２に形成される孔等の適宜の通路を通じてケース部１０２内に流入し、排出孔４５，４５の形成位置との相乗作用で図示のようにケース１０２内を電極部１０１ａ，１０１ｂを横切って流れる流れＦ１，Ｆ２となって排出孔４５，４５からケース１０２の外部へと流れる。
【００２８】
したがって、電極部１０１ａ，１０１ｂで結露によって生じてケース部１０２の内部に溜まった水分、或いはケース１０２の内部に運ばれて滞留する塵埃は、流れＦ１，Ｆ２とともに、排出孔４５，４５を通してイオン発生装置１００の外部に排出される。したがって、電極部１０１ａ，１０１ｂにおいて、水分による電極間の短絡などコロナ放電を阻害する現象が無くなり、イオン発生装置１００は早期に正常なイオン発生状態に復帰することができる。
【００２９】
イオン発生装置１００において、排出孔４５，４５は、その孔縁が、仕切り壁４０ｆの壁面又は端壁４０ｅの内壁面と底壁４０ｃの内底面とにレベルを合わせるように形成されている。そのため、排出孔４５，４５の縁部は、これら各壁面との間に段差や堰止めが無くなり、ケース部１０２内で結露水や溜まった塵埃は、排出孔４５，４５の縁部で掛かって留まることなく、排出孔４５，４５外へと抵抗無く速やかに排出される。
【００３０】
図２には、この発明によるイオン発生装置の別の実施例が示されている。このイオン発生装置１１０においては、図１に示す実施例と同等のものには同じ符号を付すことで再度の説明を省略する。この実施例においては、正イオン電極部及び負イオン電極部１０１ａ，１０１ｂを仕切る仕切り壁４０ｇは、ケース部１０２の側壁４０ｄの内壁面との間に隙間４０ｈ，４０ｉを残して設けられている。仕切り壁４０ｇは、ケース部１０２に接着によって固着される。そして、排出孔４６をケース部１０２の風下側の端壁４０ｅに一つの排出孔として形成されている。仕切り壁４０ｇがケース部１０２との間に隙間４０ｈ，４０ｉを残しているので、気流Ｆの一部がケース部２に流入するとき、各隙間４０ｈ，４０ｉを通る流れＦ３，Ｆ４となって電極部１０１ａから電極部１０１ｂに流れ、単一の排出孔４６からイオン発生装置１１０の外部に排出される。結露水や溜まった塵埃の排出作用は、図１に示す実施例の場合と同様であるので、再度の説明を省略する。
【００３１】
図３には、この発明によるイオン発生装置の更に別の実施例が示されている。図３に示すイオン発生装置１２０は、ケース部１０２の側壁４０ｄに、排出孔４７，４７が各電極部１０１ａ，１０１ｂに対応して、開口を大きくして形成されている。この例では電極部１０１ａ，１０１ｂを仕切る壁を設けなくてもよい。ケース部１０２内に生じた結露水や塵埃は、空気の流れＦ５及びＦ６とともに、排出孔４７，４７からイオン発生装置１２０の外部に排出される。
【００３２】
図４には、この発明によるイオン発生装置の更に別の実施例が示されている。図４に示すイオン発生装置１４０は、図３に示すイオン発生装置１３０において、ケース部１０２の排出孔４７，４７が形成されている側壁部４０ｂに、排出孔４７，４７を完全に覆うように不織布４８が付設されてものである。不織布４８は、結露水の場合には、排出孔４７，４７に流れてきた水を吸水し、吸水された水は毛細管現象によって不織布４８に広がって、風路を流れる気流Ｆに曝されて気化が促進され乾燥を早めることができる。不織布４８は、ケース部１０２の高さを超えて延び、付設側の表面をも風路を流れる空気流れＦに直接曝される部分４８ａを有することで、結露水の更なる迅速な気化が促進される。したがって、結露による装置停止から復帰する（イオン放出が可能となる）までの時間を一層短縮することができる。乾燥された不織布４８は次の結露に備えることができる。不織布４８は、通気性があるが、発生したイオンを吸いよせないように、帯電性が無い素材が好ましい。
【符号の説明】
【００３３】
１００，１１０，１２０，１３０，１４０  イオン発生装置
１０１  電極部          １０１ａ，１０１ｂ  正イオン電極部及び負イオン電極部
１０２  ケース部
４０ａ  ケースの本体                ４０ｂ  蓋体
４０ｃ  底壁                        ４０ｄ，４０ｄ  側壁
４０ｅ，４０ｅ  端壁                ４０ｆ，４０ｇ  仕切り壁
４０ｈ，４０ｉ  隙間
４４  イオン放出用の孔              ４５，４６，４７  排出孔
４８  不織布                        ４８ａ  不織布の部分
Ｆ，Ｆ１，Ｆ２，Ｆ３，Ｆ４  空気の流れ
【図１】
0005453125.tif 000002
【図２】
0005453125.tif 000003
【図３】
0005453125.tif 000004
【図４】
0005453125.tif 000005
【図５】
0005453125.tif 000006
【図６】
0005453125.tif 000007
【図７】
0005453125.tif 000008
【図８】
0005453125.tif 000009
【図９】
0005453125.tif 000010